(57)【特許請求の範囲】
【請求項１】
光加入者通信システムの光加入者収容装置に含まれ、前記光加入者収容装置と光ケーブルで接続された配下の光加入者装置との間で、前記光加入者通信システムとして規定されているプロトコルとは無関係に予め決められた光の断続パターンを用いて前記光加入者装置を制御するための制御コマンドを伝達する光パターン信号を送信する光パターン信号発光制御手段と、
前記光加入者装置に含まれ、前記光加入者収容装置から送信される前記光パターン信号を受信し、前記光パターン信号の光の断続パターンで伝達された前記制御コマンドに基づいて前記光加入者装置の動作を制御する光パターン信号受光制御手段と
を含み、
前記光加入者収容装置と接続されている配下の前記光加入者装置に誤発光を含む異常が発生した場合、前記光パターン信号発光制御手段は、配下の前記各光加入者装置に前記制御コマンドとして探索コマンドを前記光パターン信号により伝達して前記異常状態の前記光加入者装置を特定し、当該特定した前記異常状態の前記光加入者装置に前記制御コマンドとして異常復旧コマンドを前記光パターン信号により伝達し、前記光パターン信号受光制御手段は、前記光パターン信号により伝達された前記探索コマンドおよび前記異常復旧コマンドに基づいて前記光加入者装置を制御すること
を特徴とする光加入者通信システム。
【請求項２】
前記光パターン信号は、送信先となる前記光加入者装置を指定する宛先識別情報として、ＭＡＣ（Media Access Control）アドレス、当該光加入者装置の製造者が付与した端末番号、および前記光加入者収容装置と接続されている配下の全ての前記光加入者装置が共通して識別可能な任意の識別情報のいずれかを含むことを特徴とする請求項１に記載の光加入者通信システム。
【請求項３】
光パターン信号発光制御手段は、
制御対象とする前記光加入者装置を指定する前記宛先識別情報と前記制御コマンドを含む光加入者装置制御信号を生成して出力する光パターン信号発信制御部と、
前記光加入者装置制御信号に基づいて光を断続させた前記光パターン信号を光ケーブルの下り方向に送信し、前記光ケーブルに上り方向の光が存在する場合に第１の光入力検出信号を前記光パターン信号発信制御部に出力する第１の光送受信器とを含み、
前記光パターン信号発信制御部は、発光を強制的に停止させることを指示する発光停止コマンドを前記制御コマンドとして前記光パターン信号により配下の前記光加入者装置の全てに伝達し、引き続いて、発光停止の解除を指示する発光停止解除コマンドを前記制御コマンドとして前記光パターン信号により特定の前記光加入者装置に伝達した結果として、前記第１の光送受信器から前記第１の光入力検出信号の出力を検出すると、前記第１の光入力検出信号の出力を検出した直前に前記発光停止解除コマンドを伝達した前記光加入者装置を、誤発光している前記光加入者装置と特定する
ことを特徴とする請求項２に記載の光加入者通信システム。
【請求項４】
光パターン信号受光制御手段は、
前記光ケーブルの下り方向の光の断続を検出し、当該光の断続に対応してレベル変化する第２の光入力検出信号を出力する第２の光送受信器と、
前記第２の光入力検出信号を受信し、前記第２の光入力検出信号のレベル変化のパターンを自装置宛の前記光パターン信号と識別した場合、当該光パターン信号に含まれる前記制御コマンドに基づいて前記第２の光送受信器を制御する光パターン信号受信制御部と、
を含むことを特徴とする請求項３に記載の光加入者通信システム。
【請求項５】
前記光加入者装置は、
前記光加入者通信システムとして規定されているプロトコルの通信機能を実行するＰＯＮ（Passive Optical Network）制御部と、当該光加入者装置と接続されるユーザ端末とのインタフェース機能を実行するユーザ・インタフェース制御部と、を更に含み、
前記制御コマンドは、前記ＰＯＮ制御部のリセット指示、又は前記ユーザ・インタフェース制御部を介した警報出力指示を行うコマンドを含むことを特徴とする請求項４に記載の光加入者通信システム。
【請求項６】
光加入者通信システムの光加入者収容装置において、光ケーブルで接続された配下の光加入者装置の誤発光を含む異常発生を検出し、
前記光加入者収容装置から配下の前記各光加入者装置に、前記光加入者通信システムとして規定されている通信プロトコルとは無関係に予め決められた光の断続パターンによる光パターン信号を用いて前記光加入者装置を制御する探索コマンドを伝達し、
前記光加入者装置が、前記光加入者収容装置から送信された前記光パターン信号を受信し、前記光パターン信号の光の断続パターンで伝達された前記探索コマンドに基づいて前記光加入者装置の動作を制御し、
前記光加入者収容装置が、前記探索コマンドに基づく前記光加入者装置の動作に起因する状況変化から前記異常状態の前記光加入者装置を特定して、当該特定した前記異常状態の前記光加入者装置に異常復旧コマンドを前記光パターン信号により伝達し、
前記光加入者装置が、前記光パターン信号により伝達された異常復旧コマンドに基づいて前記光加入者装置を制御すること
を特徴とする異常復旧方法。
【請求項７】
前記探索コマンドとして前記光加入者収容装置に発光を強制的に停止させることを指示する発光停止コマンドを、前記光パターン信号により配下の前記光加入者装置の全てに伝達し、
前記光ケーブルの上り方向の光を検出していないことを確認した後、他の前記探索コマンドとして前記光加入者収容装置に発光停止の解除を指示する発光停止解除コマンドを、前記光パターン信号により特定の前記光加入者装置に伝達し、
前記発光停止解除コマンドを伝達した特定の前記光加入者装置から上り方向の光を検出すると、当該光加入者装置を誤発光している前記光加入者装置と特定する
ことを特徴とする請求項６に記載の異常復旧方法。
【発明の詳細な説明】
【技術分野】
【０００１】
本発明は、光加入者通信システムに関し、特に、誤発光している光加入者装置を特定してその復旧を行う機能を含む光加入者通信システムおよびその異常復旧方法に関する。
【背景技術】
【０００２】
光通信網のアクセス系としてユーザ宅内に光ファイバーを伝送路として引き込むＦＴＴＨ（Fiber To The Home、ファイバー・トゥ・ザ・ホーム）を実現するための技術の一つとして、光加入者通信システムがある。光加入者通信システムは、ＰＯＮ（Passive Optical Network）システムとも称され、網側に設置されるＯＬＴ（Optical Line Terminal）を、光分岐器を介して複数のユーザ宅内に設置されるＯＮＵ（Optical Network Unit）に接続して構成される。なお、ＯＬＴは光加入者収容装置、ＯＮＵは光加入者装置とも称する。つまり、ＰＯＮシステムは、１つのＯＬＴに対して複数のＯＮＵがＰ２ＭＰ（ポイント・トゥ・マルチポイント）で接続される。高速光アクセス方式としてＩＥＥＥ（The Institute of Electrical and Electronics Engineers, Inc.）８０２．３ａｈで規格化されているＧＥ-ＰＯＮ（Gigabit Ethernet（登録商標）-PON）では最大１Ｇｂｐｓ（Giga bit per second）の高速通信が可能である。また、次世代ＦＴＴＨとして使われる１０ＧＥ-ＰＯＮでは最大１０Ｇｂｐｓの高速通信が可能である。
【０００３】
ＰＯＮシステムのＯＬＴから光分岐器を介してＯＮＵに至る区間では、ＯＮＵからＯＬＴへの上り方向と、ＯＬＴからＯＮＵへの下り方向とは波長分割多重によりそれぞれが独立した通信路となっている。従って、上り方向と下り方向に関して、それぞれの光信号は同時に光ファイバー上を通過できる。また、上り方向と下り方向のそれぞれは、複数の光信号が時分割多重で同一光ファイバー上を通過する。ＯＬＴから各ＯＮＵに送信される下り方向の光信号はブロードキャスト形式で配下の全ＯＮＵに対して送信される。一方、ＯＮＵからＯＬＴの上り方向の区間では、各ＯＮＵから送信された光信号が時分割多重で同一光ファイバー上を通過する。従って、各ＯＮＵから送信された光信号が光分岐器のところで衝突しないように、各ＯＮＵが送信する光信号の送信タイミングを調整した送信制御が行われている。なお、光信号はフレーム（フレーム群を含む）、パケットまたはコマンドとも称し、以降の説明では同義として扱う。
【０００４】
ＰＯＮシステムにおいて、光分岐器を介してＯＬＴに接続されたＯＮＵは、ディスカバリ（Discovery）・プロセスによりＯＬＴに登録されることにより使用が可能になる。つまり、ＯＬＴに接続されたＯＮＵは、ＯＬＴから定期的に送信されているディスカバリ・ゲート・フレームを受信し、それに対して登録を要求するレジスタ・リクエスト・フレームを送信する。ＯＬＴは、レジスタ・リクエスト・フレームに対して、ＯＬＴとＯＮＵ間の通信経路であるロジカルリンク（ＬＬ）を設定し、ロジカルリンク識別子（ＬＬＩＤ）を付与するレジスタ・フレームをＯＮＵに送信する。ＬＬＩＤを自装置に登録したＯＮＵは、その後送信されてくるゲート・フレームによって指示される時刻・期間内にレジスタ・ＡＣＫフレームを送信する。ＯＬＴに登録されたＯＮＵは、ＯＬＴから受信したフレームに含まれるロジカルリンク識別子（ＬＬＩＤ）が自装置に付与されているものと一致するフレームを取り込み、自装置宛でないフレームを廃棄する受信動作を行う。そして、ＯＮＵは、ＯＬＴから送信されるゲート・フレームで指示される時刻・期間内にフレームを送信する送信動作を行う。
【０００５】
このように、各ＯＮＵがフレーム送信のための発光をする時刻・期間を指定するゲート・フレームがＯＬＴから送信され、各ＯＮＵはその許可された時刻・期間内に上り方向の光信号を送信する。また、ＯＬＴは、ゲート・フレームに対するＯＮＵの応答が一定時間内に無いと、対応するＬＬＩＤを破棄してそのＯＮＵの登録を解除し、ロジカルリンクを切断する。
【０００６】
ここで、ＯＮＵに障害が発生すると、そのＯＮＵは光送受信器や内部回路の異常により送信許可時間外で発光を行うことがある。このようなＯＮＵを異常発光ＯＮＵとか消光不良ＯＮＵと称する。以降、これらのＯＮＵを誤発光ＯＮＵと称する。この誤発光ＯＮＵが生じると、通常の送信許可時間内に発光している正常ＯＮＵの上り光信号と、誤発光ＯＮＵが誤発光している上り光信号とが衝突して、ＯＮＵとＯＬＴの上り方向での通信が不通になる。上り方向での通信が不通になると、下り方向で送信されているゲート・フレームに対するＯＮＵの応答がＯＬＴに返らなくなり、応答の無いＯＮＵに対するロジカルリンクが全て切断される。このように誤発光ＯＮＵが１台発生すると、光分岐器を共用している他の全てのＯＮＵがＯＬＴとの間で通信が不可能になり、甚大な通信システム障害を引き起こす。
【０００７】
このような障害を早期に復旧するためには、誤発光ＯＮＵを早急に特定し、ＰＯＮシステムから取り除く必要がある。ＯＮＵのようなユーザ宅内に設置される装置に対しては、ＯＬＴから誤発光ＯＮＵの特定や停止制御が行えることが望ましい。しかし、遠隔からの誤発光ＯＮＵの特定や停止制御を行えない場合は、ユーザ宅内に設置されているＯＮＵを、網管理者が現地に出向いて1台ずつ確認して対処しなくてはならず、障害復旧に要する時間とコストが大きくなる。そのため、ＰＯＮシステムでは、迅速な誤発光ＯＮＵの特定と、遠隔からのＯＮＵ制御を行うための技術が求められている。
【０００８】
ＰＯＮシステムにおける誤発光ＯＮＵの特定や遠隔での復旧制御に関する技術として特許文献１〜４に開示されているような技術がある。
【０００９】
特許文献１では、ＯＬＴの異常発光検出手段が、配下のＯＮＵから送信される光信号のアイドルパターンの長さを測定して異常発光を検出する。そのとき、ロジカルリンクが多数取り消されることも異常発光検出の一因としている。そして、誤発光ＯＮＵの存在を確認した際に残っているロジカルリンクに対応するＯＮＵを誤発光ＯＮＵと特定する。特定した誤発光ＯＮＵに対しては、ＯＭＡ（保守運用管理）プロトコルデータユニットにより、その誤発光ＯＮＵのＬＬＩＤを付与した発光停止コマンドを下り方向に送信する。発光停止コマンドを受信した誤発光ＯＮＵでは、消光手段がその発光停止コマンドに基づいて誤発光を消す制御を実行する。
【００１０】
特許文献２は、ＯＮＵの異常発光障害に対処するために、ＯＬＴが配下のＯＮＵに対して拡張的な機能を適切に実行させることができるＰＯＮシステムに関する技術を開示する。つまり、この技術は、誤発光ＯＮＵにより上り方向での通信が不通になり、その結果としてロジカルリンクが全て切断されてしまうことに対処して機能拡張用通信路を設けるものである。この技術によれば、ディスカバリ・プロセスの実行にあわせて機能拡張用通信路をＯＮＵに対して形成し、固有の機能拡張用識別子を付与する。この機能拡張用通信路や機能拡張用識別子は、保守用のマルチキャストＬＬＩＤによる通信経路である。そして、ロジカルリンクが切断されて配下のＯＮＵと通信不能に陥った場合に、ＯＭＡフレームによりマルチキャストＬＬＩＤを使用してＯＮＵにコマンドを送信する。ＯＮＵではその受信したコマンドで指示された制御を実行する。
【００１１】
特許文献３では、誤発光ＯＮＵの発光停止手段として、フレームのプリアンブル中にＯＮＵの端末ＩＤと発光停止コマンドを含んだパケットをＯＬＴが送信する。そして、ＯＮＵは自分宛のパケット中に発光停止コマンドが含まれていた場合に、発光を停止させる。ＯＬＴは、発光停止コマンド送信後に上り光信号が消失すれば、発光を停止させたＯＮＵを誤発光ＯＮＵと特定する。
【００１２】
特許文献４では、一時消光指示コマンドをＯＬＴから選択的にＯＮＵに送信し、それにより他のＯＮＵとの通信状態が改善されれば、一時消光指示コマンドを送ったＯＮＵが誤発光ＯＮＵであると特定する。つまり、誤発光ＯＮＵが一時消光指示コマンドにより消光したことにより正常ＯＮＵのリンクが再接続されるので、リンクアップ数が増加することで、誤発光ＯＮＵの特定を行っている。特定した誤発光ＯＮＵには、常時消光指示コマンドを送信するので、常時消光指示コマンドを受信した誤発光ＯＮＵはその後の発光を停止する。
【先行技術文献】
【特許文献】
【００１３】
【特許文献１】特開２００８-０２８４５１号公報
【特許文献２】特開２０１０−１４１４８７号公報
【特許文献３】特許第４２２８６９３号公報
【特許文献４】特許第４７２２１０９号公報
【発明の概要】
【発明が解決しようとする課題】
【００１４】
しかし、上述した特許文献１〜４に記載の技術には次のような課題がある。
【００１５】
特許文献１と特許文献２は、誤発光ＯＮＵが生じると上り方向の通信が不通になり、それによりＯＬＴでのＯＮＵの登録が解除されることに起因する課題を解決し、その上で誤発光ＯＮＵを復旧させる技術である。つまり、これらの技術は、遠隔制御のためのコマンドを送信する宛先のＯＮＵを、いかにして指定するかということに主眼を置いている。そのために、特許文献１と特許文献２が開示する技術は複雑な回路構成を必要としている。特許文献３や特許文献４は、特にそのようなことには言及しておらず、遠隔制御のためのコマンドを特定のＯＮＵを指定して送信することを述べている。
【００１６】
このように、特許文献１〜４のいずれも、下り方向の通信は正常であることを前提として、遠隔制御のためのコマンドを通常の下り方向の通信として送信している。上り方向と下り方向とは波長分割多重によりそれぞれが独立した通信路となっているので、誤発光ＯＮＵの存在により上り方向の通信が不通になったとしても、ＯＬＴからＯＮＵを遠隔制御するためのコマンドを送信することは可能としている。
【００１７】
しかし、誤発光と同時にＯＮＵの通信機能が正常に動作していない場合には、たとえ遠隔制御コマンドをＯＮＵに送信しても、ＯＮＵはその制御コマンドをコマンドとして識別することができない。従って、ＯＮＵでは遠隔制御コマンドを受信できず、それによる制御を実行することもできない。また、同様にＯＬＴの通信機能が正常に動作しない場合には、遠隔制御コマンドを送信することもできなくなる。つまり、特許文献１〜４のいずれにおいても、ＰＯＮシステムとして規定された通信機能を実行することができない異常や障害が生じた場合の対処に関しては開示がない。
【００１８】
そこで、本発明の目的は、ＰＯＮシステムとして規定されたプロトコルの通信機能を実行することができない異常や障害が生じた場合であっても、誤発光を含む異常状態のＯＮＵを特定してその復旧を行う機能を含む光加入者通信システムおよび異常復旧方法を提供することにある。
【課題を解決するための手段】
【００１９】
上記の目的を実現するために、本発明の一形態である光加入者通信システムは、光加入者通信システムの光加入者収容装置に含まれ、前記光加入者収容装置と光ケーブルで接続された配下の光加入者装置との間で、前記光加入者通信システムとして規定されているプロトコルとは無関係に予め決められた光の断続パターンを用いて前記光加入者装置を制御するための制御コマンドを伝達する光パターン信号を送信する光パターン信号発光制御手段と、前記光加入者装置に含まれ、前記光加入者収容装置から送信される前記光パターン信号を受信し、前記光パターン信号の光の断続パターンで伝達された前記制御コマンドに基づいて前記光加入者装置の動作を制御する光パターン信号受光制御手段とを含み、前記光加入者収容装置と接続されている配下の前記光加入者装置に誤発光を含む異常が発生した場合、前記光パターン信号発光制御手段は、配下の前記各光加入者装置に前記制御コマンドとして探索コマンドを前記光パターン信号により伝達して前記異常状態の前記光加入者装置を特定し、当該特定した前記異常状態の前記光加入者装置に前記制御コマンドとして異常復旧コマンドを前記光パターン信号により伝達し、前記光パターン信号受光制御手段は、前記光パターン信号により伝達された前記探索コマンドおよび前記異常復旧コマンドに基づいて前記光加入者装置を制御することを特徴とする。
【００２０】
また、本発明の他の形態である異常復旧方法は、光加入者通信システムの光加入者収容装置において、光ケーブルで接続された配下の光加入者装置の誤発光を含む異常発生を検出し、前記光加入者収容装置から配下の前記各光加入者装置に、前記光加入者通信システムとして規定されている通信プロトコルとは無関係に予め決められた光の断続パターンによる光パターン信号を用いて前記光加入者装置を制御する探索コマンドを伝達し、前記光加入者装置が、前記光加入者収容装置から送信された前記光パターン信号を受信し、前記光パターン信号の光の断続パターンで伝達された前記探索コマンドに基づいて前記光加入者装置の動作を制御し、前記光加入者収容装置が、前記探索コマンドに基づく前記光加入者装置の動作に起因する状況変化から前記異常状態の前記光加入者装置を特定して、当該特定した前記異常状態の前記光加入者装置に異常復旧コマンドを前記光パターン信号により伝達し、前記光加入者装置が、前記光パターン信号により伝達された異常復旧コマンドに基づいて前記光加入者装置を制御することを特徴とする。
【発明の効果】
【００２１】
本発明は、光加入者通信システムにＰＯＮシステムとして規定されたプロトコルの通信機能を実行することができない異常や障害が生じた場合であっても、誤発光を含む異常状態のＯＮＵを特定してその復旧を行うことができる。
【図面の簡単な説明】
【００２２】
【図１】第１の実施形態の光加入者通信システムの構成を示すブロック図である。
【図２】第１の実施形態の動作を示すフロー図である。
【図３】第２の実施形態の光加入者通信システムの構成を示すブロック図である。
【図４】第２の実施形態における光パターン信号の構成を示す概念図である。
【図５】第２の実施形態における光パターン信号の送信と受信に関わるタイミングを示す図である。
【図６】第２の実施形態の動作を示すフロー図である。
【図７】第３の実施形態の光加入者通信システムの構成を示すブロック図である。
【図８】第３の実施形態における光パターン信号の構成を示す概念図である。
【図９】第３の実施形態の動作を示すフロー図である。
【図１０】第４の実施形態の光加入者通信システムの構成を示すブロック図である。
【発明を実施するための形態】
【００２３】
次に、本発明の実施の形態について図面を参照して詳細に説明する。
【００２４】
図１は、本発明の第１の実施形態の光加入者通信システムの構成を示すブロック図である。
【００２５】
本発明の第１の実施形態の光加入者通信システム１００は、光加入者収容装置（ＯＬＴ）１と光ケーブルで接続された配下の光加入者装置（ＯＮＵ）２を含む構成になっている。そして、ＯＬＴ１は光パターン信号発光制御手段３を含み、ＯＮＵ２は光パターン受光制御手段４を含む。
【００２６】
光パターン信号発光制御手段３は、光の断続パターンを用いてＯＮＵ２を制御するための制御コマンドを伝達する光パターン信号を送信する。この光パターン信号は、ＯＬＴ１とＯＮＵ２との間で、光加入者通信システムとして規定されているプロトコルとは無関係に予め決められた光の断続パターンを用いた信号である。
【００２７】
光パターン受光制御手段４は、ＯＬＴ１から送信される光パターン信号を受信し、その光パターン信号の光の断続パターンで伝達された制御コマンドに基づいてＯＮＵ２の動作を制御する。
【００２８】
そして、ＯＬＴ１と接続されている配下のＯＮＵ２に誤発光を含む異常が発生した場合、光パターン信号発光制御手段３は、配下の各ＯＮＵ２に制御コマンドとして探索コマンドを光パターン信号により伝達してその異常状態のＯＮＵ２を特定する。さらに光パターン信号発光制御手段３は、その特定した異常状態のＯＮＵ２に制御コマンドとして異常復旧コマンドを光パターン信号により伝達する。これにより、ＯＮＵ２の光パターン信号受光制御手段４は、光パターン信号により伝達された探索コマンドおよび異常復旧コマンドに基づいてＯＮＵ２を制御する。
【００２９】
また、図２は、第１の実施形態の動作を示すフロー図である。第１の実施形態は次のように動作する。
【００３０】
光加入者通信システムの光加入者収容装置（ＯＬＴ）において、光ケーブルで接続された配下の光加入者装置（ＯＮＵ）の誤発光を含む異常発生を検出する（Ｓ１０１）。ＯＬＴから配下のＯＮＵに、光加入者通信システムとして規定されている通信プロトコルとは無関係に予め決められた光の断続パターンによる光パターン信号を用いてＯＮＵを制御する探索コマンドを伝達する（Ｓ１０２）。
【００３１】
ＯＮＵが、ＯＬＴから送信された光パターン信号を受信し、その光パターン信号の光の断続パターンで伝達された探索コマンドに基づいてＯＮＵの動作を制御する（Ｓ１０３）。
【００３２】
ＯＬＴが、探索コマンドに基づくＯＮＵの動作に起因する状況変化から誤発光を含む異常状態のＯＮＵを特定して、当該特定した異常状態のＯＮＵに異常復旧コマンドを光パターン信号により伝達する（Ｓ１０４）。つまり、ＯＬＴでは、ＯＮＵが探索コマンドで指示された動作を行うことによる状況変化から被疑ＯＮＵを特定する。
【００３３】
ＯＮＵが、光パターン信号により伝達された異常復旧コマンドに基づいてＯＮＵを制御する（Ｓ１０５）。
【００３４】
以上に説明したように、第１の実施形態の光加入者通信システムは、光加入者通信システムとして規定されている通信プロトコルとは無関係に予め決められた光の断続パターンによる光パターン信号を用いてＯＮＵを制御する制御コマンドを伝達する。そのため、下り方向においてもＰＯＮシステムとして規定されたプロトコルの通信機能を実行することができない異常や障害が生じた場合であっても、ＯＬＴからＯＮＵへの遠隔操作を行うことができる。そして、伝達した制御コマンドに基づくＯＮＵでの動作によって、誤発光を含む異常状態になっているＯＮＵを特定してその復旧を行うことができる。
【００３５】
次に、図３〜６を参照して第２の実施形態の光加入者通信システムを説明する。
【００３６】
図３は、本発明の第２の実施形態の光加入者通信システムの構成を示すブロック図である。
【００３７】
本発明の第２の実施形態の光加入者通信システム２００は、光加入者収容装置（ＯＬＴ）１０と光分岐器３０を介して光ケーブルで接続された配下の複数の光加入者装置（ＯＮＵ）２０〜２３とがＰ２ＭＰで接続されて構成される。ＯＬＴ１０は、例えば通信局舎設備内等に設置され、光基幹網４０と接続されている。また各ＯＮＵは（例えばＯＮＵ２０）、ユーザ宅内等に設置され、ユーザ端末５０を接続している。ＯＮＵ２０〜２３の構成はいずれも同じである。
【００３８】
ＯＬＴ１０は、光送受信器１０１、ＰＯＮ制御部１０２、ＮＮＩ（Network Node Interface）制御部１０３および光パターン信号発信制御部１０４を含む。また、光パターン信号発信制御部１０４を外部から操作する機器として制御端末１０５を接続することができる。もちろん、制御端末１０５をＯＬＴ１０の構成として含めても良い。しかし、制御端末１０５は、後述するように配下のＯＮＵ２０の異常探索や異常復旧を行う際に使用する端末なので、正常の機器運転時には使用されない。
【００３９】
ＮＮＩ制御部１０３は、光基幹網４０と当該ＯＬＴ１０との間でデータを送受信する制御部である。図示しない上位装置から受信したデータをＰＯＮ制御部１０２に送信し、またＰＯＮ制御部１０２から受信したデータを上位装置に送信する。
【００４０】
ＰＯＮ制御部１０２は上位装置とＯＮＵとの間での信号処理、および配下のＯＮＵの登録制御を司る。ＰＯＮ制御部１０２は、ＮＮＩ制御部１０３から受信したデータに光加入者通信システムとして規定されたプロトコルの通信用のデータ処理を施して光送受信器１０１に送信する。そして、光送受信器１０１から受信した信号から光加入者通信システムとして規定されたプロトコルの通信用のデータ部を取り除いてＮＮＩ制御部１０３に送信する。また、ＰＯＮ制御部１０２は、ディスカバリ・プロセス用の信号生成、ＯＮＵからの応答メッセージの処理、ディスカバリ・プロセスが正常に終了した場合は登録ＯＮＵ情報を保持する。そして、登録したＯＮＵ宛に送信許可信号を送信して配下のＯＮＵ間での上り信号送信タイミングの管理を行う。
【００４１】
光送受信器１０１は、光ケーブルを介してＯＮＵから受信した上り光信号を電気信号に変換してＰＯＮ制御部１０２へ送信し、逆に、ＰＯＮ制御部１０２から受信した下り信号を電気信号から光信号に変換して光ケーブルへ送信する。また、光送受信器１０１は、上り光信号を受信している場合は光入力検出信号（図３の（ａ））を光パターン信号発信制御部１０４に出力して、光ケーブルに上り光信号が存在することを通知する。さらに、光送受信器１０１は、光パターン信号発信制御部１０４からの指示に基づく光パターン信号を下り方向に送信する。この光パターン信号は、光加入者通信システムとして規定されている通信プロトコルとは無関係に予め決められた光の断続パターンで構成される。光パターン信号には、後述するようにＯＮＵを制御するためのＯＮＵ制御コマンドとそれの宛先を示すアドレス情報が含まれる。
【００４２】
光パターン信号発信制御部１０４は、制御端末１０５と接続されて、制御端末１０５との連携で、後述する誤発光を含む異常状態のＯＮＵの探索やその復旧の制御動作を行う。つまり、光パターン信号発信制御部１０４は、制御端末１０５で指定したＯＮＵ制御コマンドとそのコマンドの宛先ＯＮＵのアドレス情報を含む光パターン信号の送信を光送受信器１０１に指示する。光パターン信号発信制御部１０４は、ＯＮＵ制御信号（図３の（ｂ））を光送受信器１０１に出力して光パターン信号の送信を指示する。また、光パターン信号に含まれるＯＮＵ制御コマンドに基づく制御をＯＮＵが実行すると、それに対応して上り回線状態が変化するので、光パターン信号発信制御部１０４は、その変化に基づいて異常状態になっている被疑ＯＮＵの探索を行う。
【００４３】
一方、ＯＮＵ２０は、光送受信器２０１、ＰＯＮ制御部２０２、ＵＮＩ（User Network Interface）制御部２０３、光パターン信号受信制御部２０４および記憶部２０５を含む。
【００４４】
ＵＮＩ制御部２０３は、ＯＮＵ２０に接続しているユーザ端末５０との間でデータを送受信する制御部である。ユーザー端末５０から受信したデータをＰＯＮ制御部２０２へ送信し、ＰＯＮ制御部２０２から受信したデータをユーザー端末５０へ送信する。
【００４５】
ＰＯＮ制御部２０２は、ＵＮＩ制御部２０３から受信したデータに光加入者通信システムとして規定されたプロトコルの通信用のデータ処理を施して光送受信器２０１に送信する。そして、光送受信器２０１から受信した信号から光加入者通信システムとして規定されたプロトコルの通信用のデータ部を取り除いてＵＮＩ制御部２０３へ送信する。また、ＰＯＮ制御部２０２は、ＯＬＴ１０から送信されるディスカバリ・プロセス信号の処理、応答信号の生成を行う。そして、ＯＬＴ１０での当該ＯＮＵの登録が完了した後は、ＯＬＴ１０から送信されてくる送信許可信号に従ったタイミングで上り光信号の送信を行う。
【００４６】
光送受信器２０１は、光分岐器３０および光ケーブルを介してＯＬＴ１０から受信した下り光信号を電気信号に変換してＰＯＮ制御部２０２に送信し、逆に、ＰＯＮ制御部２０２から受信した上り信号を電気信号から光信号に変換して光ケーブルへ送信する。また、光送受信器２０１は、下り光信号を受信している間は光入力検出信号（図３の（ｃ））を光パターン信号受信制御部２０４へ出力し、下り光信号未受信時は光入力検出信号を出力しない。つまり、光送受信器２０１は、光ケーブルにおける下り光信号の断続（未受信／受信）に応じてレベルを変化させた光入力検出信号を出力する。
【００４７】
光パターン信号受信制御部２０４は、光送受信器２０１から出力される光入力検出信号のレベル変化を監視しており、光入力検出信号のレベル変化状況から光の断続パターンを識別し、光パターン信号の内容を検出する。光パターン信号にＯＮＵ制御コマンドが含まれていた場合は、宛先ＯＮＵのアドレス情報として含まれているＭＡＣ（Media Access Control）アドレスの照合を行う。つまり、光パターン信号受信制御部２０４は、光パターン信号に含まれる宛先ＭＡＣアドレス情報と記憶部２０５に保持されている当該ＯＮＵのＭＡＣアドレスとを比較する。その結果、ＭＡＣアドレスが一致した場合には、光パターン信号受信制御部２０４は、光パターン信号に含まれていたＯＮＵ制御コマンドを実行する。例えば、光送受信器２０１の発光制御を行う発光制御信号（図３の（ｄ））を光送受信器２０１に出力する。
【００４８】
記憶部２０５は、当該ＯＮＵ２０のＭＡＣアドレスを保持しており、ＯＮＵ２０の電源が切断された後もＭＡＣアドレスを保持し続ける。
【００４９】
以上の構成により、ＯＬＴ１０の光送受信器１０１から、光加入者通信システムとして規定されている通信プロトコルとは無関係に予め決められた光の断続パターンで構成される光パターン信号が送信される。この光パターン信号はＯＮＵ２０の光送受信器２０１において光入力検出信号のレベル変化を生じさせる。ＯＮＵ２０の光パターン信号受信制御部２０４でこの光の断続パターンを解析して、ＯＮＵ制御コマンドとして取得して対応する制御をＯＮＵ２０に対して実行する。
【００５０】
次に、図４の光パターン信号の構成を示す概念図および図５の光パターン信号の送信と受信に関わるタイミングを示す図を参照して光パターン信号について説明する。
【００５１】
前述したように、光加入者通信システムに誤発光ＯＮＵが生じると、上り方向の光信号の衝突によって、ＯＬＴとＯＮＵ間の上り方向での通信が不通となる。そのため、ＯＬＴから送信されるゲート・フレームに対するＯＮＵの応答が返らなくなり、ＯＬＴはＯＮＵが接続されていないと判断し、対応するＯＮＵの登録情報を削除する。ＯＮＵの登録情報は、ＯＮＵのＬＬＩＤやＭＡＣアドレスを含む。そのため、これらの情報が消失するとＯＮＵを特定するための情報がなくなる。
【００５２】
通常、このような場合、特許文献１〜４が開示する技術のように、下り回線でＯＬＴから制御コマンドをＯＮＵに送って遠隔操作する。しかし、ＯＮＵに対して通常の光加入者通信システムとして規定された通信プロトコルを用いて制御コマンドを送受信する場合、ＯＬＴとＯＮＵのいずれのＰＯＮ制御部も正常に動作している事が必要であり、ＰＯＮ制御部の異常動作時には対処することができない。
【００５３】
本実施形態の光加入者通信システムは、そのような通常の光加入者通信システムとして規定された通信プロトコルが使えない状態であっても、ＰＯＮ制御部を介さずに異常状態に陥っているＯＮＵの制御を行い、異常状態を復旧させることができる。つまり、本実施形態の光加入者通信システムは、光加入者通信システムとして規定されている通信プロトコルとは無関係に予め決められた光の断続パターンを用いてＯＮＵ制御コマンドを伝達する。この予め決められた光の断続パターンは、本実施形態の光加入者通信システム内においてはＯＬＴとＯＮＵとの間で共通的に認識されているものである。
【００５４】
図４は、光パターン信号の構成を示す概念図である。光パターン信号は、宛先を指定するフィールドに宛先ＯＮＵのＭＡＣアドレスが、ＯＮＵに実施させる制御を指定するフィールドにＯＮＵ制御コマンドがそれぞれ設定される。それらの前後をスタートビットとフレーム・チェック・シーケンス（ＦＣＳ）とで挟んで構成される。
【００５５】
ＯＬＴ１０において、制御端末１０５で入力した宛先ＭＡＣアドレス情報と制御コマンド情報に基づいて光パターン信号発信制御部１０４がＯＮＵ制御信号（図３の（ｂ））を生成し、それを光送受信器１０１に送信する。光送受信器１０１は、発光・消光を制御してＯＮＵ制御信号に示される断続パターンの光信号を光ケーブルへ送信する。なお、制御端末１０５で入力する宛先ＭＡＣアドレスはＯＬＴ１０内の管理情報としては消滅しているが、図示しない保守管理装置に定期的に保守データとして蓄積・更新しているデータが使える。つまり、誤発光ＯＮＵによる障害は光分岐器単位で被疑ＯＮＵが特定できるので、最新の保守データに基づいて、調査対象とするＯＬＴが収容しているＯＮＵのＭＡＣアドレスを指定する。
【００５６】
一方、ＯＮＵ２０では、ＯＬＴ１０が送信した光パターン信号を光送受信器２０１が光ケーブルから受信する。光パターン信号を受信した光送受信器２０１は、光パターン信号の光の断続に応じてレベル変化する光入力検出信号（図３の（ｃ））を電気信号として光パターン信号受信制御部２０４に出力する。
【００５７】
光パターン信号受信制御部２０４は、光入力検出信号のレベル変化を監視しており、光入力検出信号のレベル変化パターンからスタートビットを特定すると、光パターン信号であることを認識する。そして、光パターン信号受信制御部２０４は、同じく光入力検出信号のレベル変化パターンから当該光パターン信号に含まれる宛先ＭＡＣアドレスとＯＮＵ制御コマンドをそれぞれ識別して、取り出す。
【００５８】
取り出した宛先ＭＡＣアドレスを記憶部２０５に保持しているＭＡＣアドレスと照合し、それが一致した場合は取り出したＯＮＵ制御コマンドに基づく制御を実行する。図３では発光制御信号（ｄ）を光送受信器２０１に出力して発光制御（発光／消光）を行っている。取り出した宛先ＭＡＣアドレスと記憶部２０５のＭＡＣアドレスとが一致しない場合は、取り出した情報を破棄する。
【００５９】
なお、光送受信器２０１は、通常、下り光信号を受信、又は未受信となってから光入力検出信号のレベルを変化させる。つまり、光ファイバから入ってくる光の断続に応答して100μs程度の立ち上がり時間および立下り時間を必要とする。そのため、本実施形態で用いる光パターン信号のパルス幅（光信号のＯＮ時間、ＯＦＦ時間）は光送受信器２０１の光入力検出信号のレベル変化の応答速度より長くする。
【００６０】
図５は、光パターン信号の送信と受信に関わるタイミングを示す図である。
【００６１】
ＯＬＴ１０において、光パターン信号発信制御部１０４はＯＮＵ制御信号（図３の（ｂ））を光送受信器１０１に送信する。光送受信器１０１はＯＮＵ制御信号を構成する断続情報に基づいて発光／消光を行う。そして、ＯＮＵ制御信号で示される光の断続に対応した光パターン信号が光ケーブルに送信される。
【００６２】
ＯＮＵ２０において、光送受信器２０１は光ケーブルから入ってくる光パターン信号を受信する。光送受信器２０１は、光パターン信号による発光／消光に追随して約100μs程度の遅延時間をもって光入力検出信号（図３の（ｃ））のレベルを変化さる。
【００６３】
以上のように構成された本実施形態の光加入者通信システムの動作を、図６のフロー図を参照して説明する。
【００６４】
誤発光ＯＮＵが生じたことによる障害復旧を試みるシステム保守者は、ＯＬＴ１０の光パターン信号発信制御部１０４に制御端末１０５を接続して、誤発光している被疑ＯＮＵを特定するための処置を行う。前述したように、宛先ＭＡＣアドレスはＯＬＴ１０内の管理情報としては消滅しているが、図示しない保守管理装置に定期的に保守データとして蓄積・更新して管理しているデータが使える。
【００６５】
そこでシステム保守者は、ＯＬＴ１０に収容されている配下のＯＮＵのＭＡＣアドレスと発光停止コマンドを制御端末１０５から入力する（Ｓ２０１）。この制御端末１０５の操作により、発光停止コマンドと宛先ＭＡＣアドレスを含んだ光パターン信号が光ケーブルに送出され、光分岐器において配下の全てのＯＮＵに分岐送信される（Ｓ２０２）。光パターン信号を受信したＯＮＵは、ＭＡＣアドレスの照合を行い、自装置宛の指示であれば発光停止コマンドを取り込んで、それを実行する。発光停止コマンドをＯＮＵにおいて実行することにより、そのＯＮＵによる上り方向の発光が停止する。つまり、ＯＮＵ２０の光パターン受信制御部２０４は、光送受信器２０１に発光制御信号を出力して上り方向の発光を停止させる。
【００６６】
調査対象としているＯＬＴ１０に収容されている全てのＯＮＵに対して発光停止コマンドが送信される（Ｓ２０３）。なお、制御端末１０５は、宛先ＭＡＣアドレスと発光停止コマンドの組を個々に指定して送信する動作形態だけでなく、発光停止コマンドと一連の複数の宛先ＭＡＣアドレスを事前に入力してから送信できる動作形態を備えてもよい。その場合は、宛先ＭＡＣアドレスと発光停止コマンドの組の光パターン信号が、各ＯＮＵで最適に受信し制御できる間隔を保って順次送信される。
【００６７】
調査対象としているＯＬＴ１０に収容されている全てのＯＮＵに対して発光停止コマンドが送信されると、ＯＬＴ１０の光送受信器１０１に接続されている光ケーブルの中に上り光信号は存在しない。そのため、この状態でＯＬＴ１０の光送受信器１０１からは光入力検出信号（図３の（ａ））は出力されない。
【００６８】
発光停止コマンドによって光ケーブルの上り方向に光が存在しないことが確認されると、次に、発光停止中のＯＮＵに対して順番に発光停止解除コマンドが送信される（Ｓ２０４、Ｓ２０５）。
【００６９】
発光停止解除コマンドは、送信した発光停止コマンドの実行を解除するコマンドである。例えば、ＯＮＵ２０の光パターン受信制御部２０４が、光送受信器２０１に発光制御信号を出力し続けることにより発光停止を行っていた場合は、発光停止解除コマンドを受信することによりその発光制御信号の出力を止める制御でよい。また、光パターン受信制御部２０４が、光送受信器２０１に発光制御信号として発光停止／停止解除／発光等の信号をそれぞれ出力するような場合には、発光停止解除コマンドを受信することにより停止解除の発光制御信号を出力すればよい。つまり、発光停止解除コマンドは、発光停止コマンドで強制的に実行していた発光停止状態を解除するもので、発光を指示するものではない。従って、正常であれば強制的に実行していた発光停止を解除しても各ＯＮＵの消光状態は保たれる。
【００７０】
制御端末１０５からの操作中においては、光パターン信号以外の光がＯＬＴ１０から送信されることは無く、またＯＮＵに対しても送信許可信号は送信されていない。そのため、発光停止を解除された状態において正常動作を行っているＯＮＵが発光する事は無い。しかし、誤発光が生じているＯＮＵは、発光停止コマンドで強制的に実行していた発光停止が解除されると、また誤発光を始める。
【００７１】
よって、発光停止解除コマンドの送信後にＯＬＴ１０の光送受信器１０１から光入力検出信号（図３の（ａ））が出力された場合には、その直前に発光停止解除を行ったＯＮＵが誤発光ＯＮＵと特定される（Ｓ２０６：ＹＥＳ、Ｓ２０７）。
【００７２】
また、発光停止解除コマンドの送信後に、対応するＯＮＵからの発光を光送受信器１０１からの光入力検出信号として検出しない場合、そのＯＮＵは正常であると判断される（Ｓ２０６：ＮＯ、Ｓ２１０）。この場合は、発光停止解除コマンドを送信する宛先のＯＮＵを変えて、対象とする全てのＯＮＵに発光停止解除コマンドを送信するまで、ステップＳ２０４以降の操作を繰り返す。
【００７３】
特定された誤発光ＯＮＵに対しては、誤発光を停止させるために、発光停止コマンドが送信される（Ｓ２０８）。発光停止コマンドを受信した誤発光ＯＮＵは発光を停止状態にする。一つの誤発光ＯＮＵに対する処置が終了すると、発光停止解除コマンドを送信する宛先のＯＮＵを変えて、対象とする全てのＯＮＵに発光停止解除コマンドを送信するまで、ステップＳ２０４以降の操作を繰り返す（Ｓ２０９）。
【００７４】
以上に説明した動作により、本実施形態の光加入者通信システムは、誤発光が生じているＯＮＵを特定し、特定した誤発光ＯＮＵに対して誤発光を停止させる処置を行う。このような処置を行った後、システム保守者は特定した誤発光ＯＮＵが設置されているユーザに連絡をとり、当該ＯＮＵの光ケーブルからの切り離しの依頼や、ユーザ宅に出向いて誤発光原因の調査や修理を行うなどの次の段階の処置を行う。
【００７５】
以上のように構成することにより、本実施形態の光加入者通信システムは、誤発光ＯＮＵが発生した場合であっても、また、そのときに、少なくともＯＬＴ１０またはＯＮＵ２０のいずれかのＰＯＮ制御部が正常に動作していなくても対処することができる。つまり、本実施形態の光加入者通信システムは、光加入者通信システムとして規定されている通信プロトコルとは無関係に予め決められた光の断続パターンによる光パターン信号を用いてＯＮＵを制御する。光パターン信号には、発光停止コマンドや発光停止解除コマンド等の制御コマンドを含み、ＭＡＣアドレスで宛先を指定したＯＮＵに送信される。そのため、下り方向においてもＰＯＮシステムとして規定されたプロトコルの通信機能を実行することができない異常や障害が生じた場合であっても、ＯＬＴからＯＮＵへの遠隔操作を行うことができる。そして、異常状態になっているＯＮＵを特定してその復旧を行うことができる。
【００７６】
次に、図７〜９を参照して第３の実施形態の光加入者通信システムを説明する。
【００７７】
図７は、本発明の第３の実施形態の光加入者通信システムの構成を示すブロック図である。
【００７８】
本発明の第３の実施形態の光加入者通信システム３００は、光加入者収容装置（ＯＬＴ）１０と光分岐器３０を介して光ケーブルで接続された配下の複数の光加入者装置（ＯＮＵ）２１〜２４とがＰ２ＭＰで接続されて構成される。ＯＬＴ１０は、例えば通信局舎設備内等に設置され、光基幹網４０と接続されている。ＯＮＵ２１〜２４は全て同じ構成である。
【００７９】
この第３の実施形態の光加入者通信システム３００が、図３に示した第２の実施形態の光加入者通信システム２００と相違する点は、ＯＮＵである。図７のＯＮＵ２４に示されるように、第３の実施形態ではＯＮＵはロータリースイッチ（ロータリーＳＷ２０６）で設定された端末番号を保持している。
【００８０】
この端末番号は、第２の実施形態で説明したＭＡＣアドレスと同等の情報として、個々のＯＮＵを特定するための情報として扱われる。例えば、端末番号は、ＯＮＵの製造者が付与してその製造時にロータリーＳＷ２０６により設定する。もちろん、その他の手段で設定してもかまわない。また、端末番号には製造者を特定する情報や当該ＯＮＵの版数等の付加的な情報を含めることができる。
【００８１】
収容しているＯＮＵの端末番号は、ＯＬＴ単位で管理されている。ＭＡＣアドレスと同様に、端末番号はディスカバリ・プロセスの過程でＯＬＴに登録され、さらに、保守管理装置に定期的に保守データとして蓄積・更新して管理するようにしてもよい。
【００８２】
図８は、第３の実施形態における光パターン信号の構成を示す概念図である。第３の実施形態における光パターン信号は、宛先を指定するフィールドに宛先ＯＮＵの端末番号が設定される点において、図４の第２の実施形態における光パターン信号の構成と異なる。
【００８３】
光パターン信号の宛先を指定するフィールドに端末番号が入力される点において第２の実施形態と異なるので、基本的な動作も次のようになる。図７を参照して説明する。
【００８４】
ＯＬＴ１０において、制御端末１０５で入力した宛先ＯＮＵの端末番号と制御コマンド情報に基づいて光パターン信号発信制御部１０４がＯＮＵ制御信号（図７の（ｂ））を生成し、それを光送受信器１０１に出力する。
【００８５】
このとき、宛先ＯＮＵの端末番号に含まれる情報から当該ＯＮＵの製造者やＯＮＵの版数を特定することができる。そのため、ＯＮＵに送信する制御コマンドにおいて、基本コマンドは共通でも、製造者特有の条件を付したコマンドや、同一製造者であってもＯＮＵの版数に応じて異なる条件のコマンドがあり得る場合に、それらの使い分けが可能になる。つまり、ＯＮＵに応じて、その製造者や版数に応じてよりきめの細かい制御が可能なコマンドが使える場合には、使用する制御コマンドの選択肢を増やすことができる。
【００８６】
従って、制御端末１０５は、システム保守者が入力した宛先ＯＮＵの端末番号に応じて、そのような選択肢を表示部に表示するように構成されていてもよい。
【００８７】
光送受信器１０１は、発光・消光を制御してＯＮＵ制御信号に示される断続パターンの光信号を光ケーブルの下り方向に送信する。
【００８８】
一方、ＯＮＵ２４では、ＯＬＴ１０が送信した光パターン信号を光送受信器２０１が光ケーブルから受信する。光パターン信号を受信した光送受信器２０１は、光パターン信号の光の断続に応じてレベル変化する光入力検出信号（図７の（ｃ））を電気信号として光パターン信号受信制御部２０４に出力する。
【００８９】
光パターン信号受信制御部２０４は、光入力検出信号のレベル変化を監視しており、光入力検出信号のレベル変化パターンからスタートビットを特定すると、光パターン信号であることを認識する。そして、光パターン信号受信制御部２０４は、同じく光入力検出信号のレベル変化パターンから当該光パターン信号に含まれる宛先端末番号とＯＮＵ制御コマンドをそれぞれ識別して、取り出す。
【００９０】
取り出した宛先端末番号をロータリーＳＷ２０６に設定されている端末番号と照合し、それが一致した場合は取り出したＯＮＵ制御コマンドに基づく制御を実行する。図７では発光制御信号（ｄ）を光送受信器２０１に出力して発光制御（発光／消光）を行っている。取り出した宛先端末番号とロータリーＳＷ２０６に設定されている端末番号とが一致しない場合は、取り出した情報を破棄する。
【００９１】
図９は、本実施形態の光加入者通信システムの動作を示すフロー図である。本実施形態の動作は、図６を参照して説明した第２の実施形態のフロー図のＳ２０１とＳ２０４においてＭＡＣアドレスを入力したのに対して、Ｓ３０１とＳ３０４において端末番号を入力する点が異なるのみである。
【００９２】
図９のＳ３０１からＳ３０３の動作で、対象となるＯＮＵに発光停止コマンドを含む光パターン信号を送信して発光を停止させることは、図６のＳ２０１からＳ２０３の動作と同じである。また、図９のＳ３０４からＳ３１０の動作で、個々のＯＮＵの発光停止を解除しながら誤発光が生じているＯＮＵを特定し、特定した誤発光のＯＮＵに対しては発光を停止させる処置を行うことは、図６のＳ２０４からＳ２１０の動作と同じである。従って、図９における個々の動作ステップの説明は割愛する。
【００９３】
以上のように構成することにより、本実施形態の光加入者通信システムは、誤発光ＯＮＵが発生した場合であっても、また、そのときに、少なくともＯＬＴ１０またはＯＮＵ２４のいずれかのＰＯＮ制御部が正常に動作していなくても対処することができる。つまり、本実施形態の光加入者通信システムは、光加入者通信システムとして規定されている通信プロトコルとは無関係に予め決められた光の断続パターンによる光パターン信号を用いてＯＮＵを制御する。光パターン信号には、発光停止コマンドや発光停止解除コマンド等の制御コマンドを含み、指定した宛先のＯＮＵに送信される。そのため、下り方向においてもＰＯＮシステムとして規定されたプロトコルの通信機能を実行することができない異常や障害が生じた場合であっても、ＯＬＴからＯＮＵへの遠隔操作を行うことができる。そして、異常状態になっているＯＮＵを特定してその復旧を行うことができる。
【００９４】
更に、本実施形態の光加入者通信システムは、個々のＯＮＵを特定する情報として、例えば、ＯＮＵの製造者が付与してその製造時に設定する端末番号を保持している。端末番号には製造者を特定する情報や当該ＯＮＵの版数等の付加的な情報を含めることができるので、ＯＮＵごとにその製造者や版数に応じてよりきめの細かい制御が可能なコマンドが使える。そのため、ＯＮＵ制御のためのコマンドの使い分けが可能になり、制御の選択肢を増やすことができる。
【００９５】
次に、上述した第２の実施形態および第３の実施形態の変形例を説明する。
【００９６】
個々のＯＮＵを特定する情報として第２の実施形態ではＭＡＣアドレスを使用し、第３の実施形態では端末番号を使用した。図６または図９を参照して説明したように、第一段階における処置として、対象となる全てのＯＮＵに対して発光停止コマンドを送信する。これは、光分岐器を介して接続されているＯＬＴの配下の全てのＯＮＵからの発光を停止させるためである。図６ではＳ２０１〜Ｓ２０３、そしてＳ２０１に戻る動作で、また、図９ではＳ３０１〜Ｓ３０３、そしてＳ３０１に戻る動作でこの処理を行っている。
【００９７】
この変形例では、ＯＬＴごとに、配下の全てのＯＮＵに共通のアドレス情報を設けて記憶部に保持させる。ＯＬＴから送信された共通のアドレス情報と発光停止コマンドを含む光パターン信号は、光分岐器を介して全てのＯＮＵに伝達される。そして、共通のアドレス情報に基づくアドレス照合により、この光パターン信号で伝達された発光停止コマンドはどのＯＮＵにおいても取り込まれる。
【００９８】
従って、ＯＬＴの配下の全てのＯＮＵに対して共通の制御を実行させる場合には、共通のアドレス情報を用いて制御コマンドを送信するようにしてもよい。
【００９９】
引き続いて、第４の実施形態について説明する。
【０１００】
図１０は、本発明の第４の実施形態の光加入者通信システムの構成を示すブロック図である。
【０１０１】
本発明の第４の実施形態の光加入者通信システム４００は、光加入者収容装置（ＯＬＴ）１０と光分岐器３０を介して光ケーブルで接続された配下の複数の光加入者装置（ＯＮＵ）２１〜２３および２５とがＰ２ＭＰで接続されて構成される。ＯＬＴ１０は、例えば通信局舎設備内等に設置され、光基幹網４０と接続されている。ＯＮＵ２１〜２３および２５は全て同じ構成である。
【０１０２】
この第４の実施形態の光加入者通信システム４００が、図３に示した第２の実施形態の光加入者通信システム２００や図７に示した第３の実施形態の光加入者通信システム３００と相違する点は、ＯＮＵである。
【０１０３】
図１０のＯＮＵ２５に示されるように、第４の実施形態ではＯＮＵの光パターン信号受信制御部２０４は、ＰＯＮ制御部２０２やＵＮＩ制御部２０３を制御することができる。なお、ＯＮＵ２５の記憶部２０５には、当該ＯＮＵを特定するＯＮＵ識別情報が記憶保持されている。このＯＮＵ識別情報としては、ＭＡＣアドレス、端末番号および共通アドレス情報を任意に使用することができる。つまり、ＯＮＵ識別情報は、ＯＬＴから送信される光パターン信号に含まれる宛先ＯＮＵを指定する情報を照合して、光パターン信号に含まれる制御コマンドの取り込み可否を判定するための情報として使われる。
【０１０４】
第４の実施形態の光パターン信号には、ＯＮＵ内部の回路や機能を制御する制御コマンドを含めて、ＯＬＴからＯＮＵに伝達することができる。そのため、第４の実施形態の光加入者通信システムは、第２の実施形態や第３の実施形態で説明したような光送受信器２０１に対する発光制御だけでなく、ＯＮＵの他の機能を遠隔で制御することができる。例えば、第４の実施形態によれば、異常となって使用できなくなっているＰＯＮ制御部２０２をリセットさせる制御とか、ＵＮＩ制御部２０３を介してユーザに、視覚または聴覚による障害警報を発するというような制御が可能になる。
【０１０５】
第４の実施形態の光加入者通信システムは、図１０を参照すると例えば次のように動作する。
【０１０６】
システム保守者は、遠隔制御対象のＯＮＵを指定するＯＮＵ識別情報と遠隔操作したい制御に対応する制御コマンドを制御端末１０５から入力する。この操作に基づいて光パターン信号発信制御部１０４が対応するＯＮＵ制御信号（図１０の（ｂ））を生成し、それを光送受信器１０１に送信する。
【０１０７】
つまり、前述したように、異常となって使用できなくなっているＰＯＮ制御部２０２をリセットさせる制御コマンドとか、ＵＮＩ制御部２０３を介してユーザに障害警報を発する制御コマンド等を含むＯＮＵ制御信号を送信する。
【０１０８】
光送受信器１０１は、発光・消光を制御してＯＮＵ制御信号に示される断続パターンの光信号を光ケーブルの下り方向に送信する。
【０１０９】
一方、ＯＮＵ２５では、ＯＬＴ１０が送信した光パターン信号を光送受信器２０１が光ケーブルから受信する。光パターン信号を受信した光送受信器２０１は、光パターン信号の光の断続に応じてレベル変化する光入力検出信号（図１０の（ｃ））を電気信号として光パターン信号受信制御部２０４へ出力する。
【０１１０】
光パターン信号受信制御部２０４は、光入力検出信号のレベル変化を監視しており、光入力検出信号のレベル変化パターンからスタートビットを特定すると、光パターン信号であることを認識する。そして、光パターン信号受信制御部２０４は、同じく光入力検出信号のレベル変化パターンから当該光パターン信号に含まれるＯＮＵ識別情報とＯＮＵ制御コマンドをそれぞれ識別して、取り出す。
【０１１１】
取り出したＯＮＵ識別情報を記憶保持している自己のＯＮＵ識別情報と照合し、それが一致した場合は取り出したＯＮＵ制御コマンドに基づく制御を実行する。図１０ではＰＯＮ制御部制御信号（ｅ）をＰＯＮ制御部２０２に送信してＰＯＮ制御部２０２のリセットを行っている。また、別の例として、ＵＮＩ制御部制御信号（ｆ）をＵＮＩ制御部２０３に送信してユーザに障害警報を発する制御を行っている。例えば、警報ランプを点灯させる制御、警報音を発する制御が可能になる。取り出したＯＮＵ識別情報と記憶保持している自己のＯＮＵ識別情報とが一致しない場合は、取り出した情報を破棄する。
【０１１２】
以上のように構成することにより、本実施形態の光加入者通信システムは、誤発光ＯＮＵの探索とその復旧のみならず、ＯＮＵ内部の回路のリセットや任意の機能を遠隔で制御することができる。つまり、本実施形態の光加入者通信システムは、光加入者通信システムとして規定されている通信プロトコルとは無関係に予め決められた光の断続パターンによる光パターン信号を用いてＯＮＵを制御する制御コマンドを伝達する。そのため、下り方向においてもＰＯＮシステムとして規定されたプロトコルの通信機能を実行することができない異常や障害が生じた場合であっても、ＯＬＴからＯＮＵへの遠隔操作を行うことができる。そして、異常状態になっているＯＮＵを特定してその復旧を行うことができる。
【符号の説明】
【０１１３】
１、１０    ＯＬＴ
２、２０、２１、２２、２３、２４、２５    ＯＮＵ
３    光パターン信号発光制御手段
４    光パターン信号受光制御手段
１００、２００、３００、４００    光加入者通信システム
３０    光分岐器
４０    光基幹網
５０    ユーザ端末
１０１、２０１    光送受信器
１０２、２０２    ＰＯＮ制御部
１０３    ＮＮＩ制御部
１０４    光パターン信号発信制御部
１０５    制御端末
２０３    ＵＮＩ制御部
２０４    光パターン信号受信制御部
２０５    記憶部
２０６    ロータリーＳＷ
【図１】
0005536116.tif 000002
【図２】
0005536116.tif 000003
【図３】
0005536116.tif 000004
【図４】
0005536116.tif 000005
【図５】
0005536116.tif 000006
【図６】
0005536116.tif 000007
【図７】
0005536116.tif 000008
【図８】
0005536116.tif 000009
【図９】
0005536116.tif 000010
【図１０】
0005536116.tif 000011